(57)【要約】【課題】三次元形状データをスライスしたスライス面の二次元データに基づいて設定された輪郭線に従って造形材料を連続して吐出すると共に、輪郭線の内部に造形材料を連続して吐出することにより三次元形状を造形する三次元造形法を用いて三次元形状を造形する際に、造形材料の積層方向に隙間が重なるのを抑制することができる。【解決手段】三次元造形用経路データの生成装置１０は、三次元形状の三次元形状データをスライスしたスライス面の二次元データに基づいて設定された輪郭線に従って造形材料が連続して吐出されると共に、輪郭線の内部に造形材料が連続して吐出されるように造形材料の吐出経路を表す経路データを生成し、造形材料の積層方向に輪郭線が重なる場合は、輪郭線が重なる層のうち少なくとも１層の輪郭線の本数及び太さの少なくとも一方を変更する。【選択図】図１
2018176597.tif 000002
【特許請求の範囲】
【請求項１】
三次元形状の三次元形状データをスライスしたスライス面の二次元データに基づいて設定された輪郭線に従って造形材料が連続して吐出されると共に、前記輪郭線の内部に前記造形材料が連続して吐出されるように前記造形材料の吐出経路を表す経路データを生成する生成部と、
前記造形材料の積層方向に前記輪郭線が重なる場合は、前記輪郭線が重なる層のうち少なくとも１層の前記輪郭線の本数及び太さの少なくとも一方を変更する変更部と、
を備えた三次元造形用データ生成装置。
【請求項２】
前記変更部は、前記輪郭線が重なる層のうち前記積層方向における両端の層の前記輪郭線の本数及び太さの少なくとも一方を変更する
請求項１記載の三次元造形用データ生成装置。
【請求項３】
造形材料を吐出する吐出部と、
請求項１又は請求項２記載の三次元造形用データ生成装置により生成された三次元造形用経路データを取得する取得部と、
前記取得部により取得された前記三次元造形用経路データに従って前記造形材料が吐出されるように前記吐出部を制御する制御部と、
を備えた三次元造形装置。
【請求項４】
前記制御部は、前記輪郭線の内部に前記造形材料が連続して吐出される際に、前記吐出経路の折り返し部分で吐出される前記造形材料の量が、前記折り返し部分以外の部分で吐出される前記造形材料よりも多くなるように、前記吐出部による前記造形材料の吐出量を制御する
請求項３記載の三次元造形装置。
【請求項５】
前記制御部は、前記輪郭線の内部に前記造形材料が連続して吐出される際に、前記輪郭線が重なる層のうち前記積層方向における両端の層の、前記吐出経路の折り返し部分で吐出される前記造形材料の量が、前記折り返し部分以外の部分で吐出される前記造形材料よりも多くなるように、前記吐出部による前記造形材料の吐出量を制御する
請求項４記載の三次元造形装置。
【請求項６】
前記制御部は、前記輪郭線の内部に前記造形材料が連続して吐出される際に、前記吐出経路の折り返し部分で吐出される前記造形材料の量が、前記折り返し部分以外の部分で吐出される前記造形材料よりも多くなるように、前記吐出部の移動速度を遅くするよう制御する
請求項３記載の三次元造形装置。
【請求項７】
前記制御部は、前記輪郭線の内部に前記造形材料が連続して吐出される際に、前記輪郭線が重なる層のうち前記積層方向における両端の層の、前記吐出経路の折り返し部分で吐出される前記造形材料の量が、前記折り返し部分以外の部分で吐出される前記造形材料よりも多くなるように、前記吐出部の移動速度を遅くするよう制御する
請求項６記載の三次元造形装置。
【請求項８】
コンピュータを、請求項１又は請求項２記載の三次元造形用データ生成装置の各部として機能させるための三次元造形用経路データ生成プログラム。
【発明の詳細な説明】
【技術分野】
【０００１】
本発明は、三次元造形用経路データ生成装置、三次元造形装置、及び三次元造形用経路データ生成プログラムに関する。
【背景技術】
【０００２】
特許文献１には、３次元物体のコンピュータ支援設計モデルを修正する方法であって、  前記方法は、限界壁幅を設定することと、前記コンピュータ支援設計モデルの少なくとも１つのスライス層ポリラインを提供することであって、前記少なくとも１つのスライス層ポリラインが第１部分および第２部分を含む、少なくとも１つのスライス層ポリラインを提供することと、前記第１部分と前記第２部分との間の第１距離を判定することと、前記第１距離が前記限界壁幅より小さい場合に、前記第１部分と前記第２部分との間に第２距離を提供するように、前記第１部分および前記第２部分の位置を調整することであって、前記第２距離が前記限界壁幅とほぼ等しいか、または前記限界壁幅よりも大きい、前記第１部分および前記第２部分の位置を調整することと、を備える方法が開示されている。
【０００３】
特許文献２には、押出しベースの層状堆積システムを使用して３次元物体を形成する方法であって、３次元物体の層を構築するために空隙領域を定めるビルド径路を生成する段階と、前記空隙領域に少なくとも１つの中間径路を生成する段階と、前記少なくとも１つの中間径路に少なくとも部分的に基づいて残存径路を生成する段階と、を含むことを特徴とする方法が開示されている。
【先行技術文献】
【特許文献】
【０００４】
【特許文献１】特表２０１０−５３３０８６号公報
【特許文献２】特表２００９−５２５２０７号公報
【発明の概要】
【発明が解決しようとする課題】
【０００５】
本発明は、三次元形状データをスライスしたスライス面の二次元データに基づいて設定された輪郭線に従って造形材料を連続して吐出すると共に、輪郭線の内部に造形材料を連続して吐出することにより三次元形状を造形する三次元造形法を用いて三次元形状を造形する際に、造形材料の積層方向に隙間が重なるのを抑制することができる三次元造形用データ生成装置、三次元造形装置、及び三次元造形用経路データ生成プログラムを提供することを目的とする。
【課題を解決するための手段】
【０００６】
上記目的を達成するために、請求項１に記載の三次元造形用データ生成装置の発明は、三次元形状の三次元形状データをスライスしたスライス面の二次元データに基づいて設定された輪郭線に従って造形材料が連続して吐出されると共に、前記輪郭線の内部に前記造形材料が連続して吐出されるように前記造形材料の吐出経路を表す経路データを生成する生成部と、前記造形材料の積層方向に前記輪郭線が重なる場合は、前記輪郭線が重なる層のうち少なくとも１層の前記輪郭線の本数及び太さの少なくとも一方を変更することで前記吐出経路を変更する変更部と、を備える。
【０００７】
請求項２記載の発明は、前記変更部は、前記輪郭線が重なる層のうち前記積層方向における両端の層の前記輪郭線の本数及び太さの少なくとも一方を変更する。
【０００８】
請求項３記載の発明の三次元造形装置は、造形材料を吐出する吐出部と、請求項１又は請求項２記載の三次元造形用データ生成装置により生成された前記三次元造形用経路データを取得する取得部と、前記取得部により取得された前記三次元造形用経路データに従って前記造形材料が吐出されるように前記吐出部を制御する制御部と、を備える。
【０００９】
請求項４記載の発明は、前記制御部は、前記輪郭線の内部に前記造形材料が連続して吐出される際に、前記吐出経路の折り返し部分で吐出される前記造形材料の量が、前記折り返し部分以外の部分で吐出される前記造形材料よりも多くなるように、前記吐出部による前記造形材料の吐出量を制御する。
【００１０】
請求項５記載の発明は、前記制御部は、前記輪郭線の内部に前記造形材料が連続して吐出される際に、前記輪郭線が重なる層のうち前記積層方向における両端の層の、前記吐出経路の折り返し部分で吐出される前記造形材料の量が、前記折り返し部分以外の部分で吐出される前記造形材料よりも多くなるように、前記吐出部による前記造形材料の吐出量を制御する。
【００１１】
請求項６記載の発明は、前記制御部は、前記輪郭線の内部に前記造形材料が連続して吐出される際に、前記吐出経路の折り返し部分で吐出される前記造形材料の量が、前記折り返し部分以外の部分で吐出される前記造形材料よりも多くなるように、前記吐出部の移動速度を遅くするよう制御する。
【００１２】
請求項７記載の発明は、前記制御部は、前記輪郭線の内部に前記造形材料が連続して吐出される際に、前記輪郭線が重なる層のうち前記積層方向における両端の層の、前記吐出経路の折り返し部分で吐出される前記造形材料の量が、前記折り返し部分以外の部分で吐出される前記造形材料よりも多くなるように、前記吐出部の移動速度を遅くするよう制御する。
【００１３】
請求項８記載の発明の三次元造形用経路データ生成プログラムは、コンピュータを、請求項１又は請求項２記載の三次元造形用データ生成装置の各部として機能させるための三次元造形用経路データ生成プログラムである。
【発明の効果】
【００１４】
請求項１、３、８に記載の発明によれば、三次元形状データをスライスしたスライス面の二次元データに基づいて設定された輪郭線に従って造形材料を連続して吐出すると共に、輪郭線の内部に造形材料を連続して吐出することにより三次元形状を造形する三次元造形法を用いて三次元形状を造形する際に、造形材料の積層方向に隙間が重なるのを抑制することができる、という効果を有する。
【００１５】
請求項２に記載の発明によれば、輪郭線が重なる層のうち積層方向における両端の層以外の輪郭線の本数及び太さの少なくとも一方を変更する場合と比較して、微少な穴が形成されるのが抑制される、という効果を有する。
【００１６】
請求項４に記載の発明によれば、吐出経路の折り返し部分と折り返し部分以外の部分とで造形材料の吐出量を同じにした場合と比較して、微少な穴が形成されるのが抑制される、という効果を有する。
【００１７】
請求項５に記載の発明によれば、輪郭線が重なる層のうち積層方向における両端の層以外の層について、吐出経路の折り返し部分で吐出される造形材料の量が多くなるように吐出量を制御する場合と比較して、三次元形状の表面の隙間を小さくすることができる、という効果を有する。
【００１８】
請求項６に記載の発明によれば、吐出経路の折り返し部分と折り返し部分以外の部分とで吐出部の移動速度を同じにした場合と比較して、微少な穴が形成されるのが抑制される、という効果を有する。
【００１９】
請求項７に記載の発明によれば、輪郭線が重なる層のうち積層方向における両端の層以外の層について、吐出経路の折り返し部分で吐出される造形材料の量が多くなるように吐出部の移動速度を遅くする場合と比較して、三次元形状の表面の隙間を小さくすることができる、という効果を有する。
【図面の簡単な説明】
【００２０】
【図１】三次元造形用経路データの生成装置の構成例を示す図である。
【図２】三次元形状の一例を示す図である。
【図３】三次元造形用経路データの生成処理の流れの一例を示すフローチャートである。
【図４】三次元形状の一例を示す斜視図である。
【図５】三次元形状の一例を示す側面図である。
【図６】三次元造形用経路データについて説明するための図である。
【図７】輪郭線の数を２本に増加させた場合の三次元造形用経路データについて説明するための図である。
【図８】三次元造形装置の構成例を示す図である。
【発明を実施するための形態】
【００２１】
以下、図面を参照して、本発明を実施するための形態例を詳細に説明する。
【００２２】
まず、図１を参照して、本実施の形態に係る三次元造形用経路データの生成装置１０の構成について説明する。
【００２３】
生成装置１０は、例えばパーソナルコンピュータ等で構成され、コントローラ１２を備える。コントローラ１２は、ＣＰＵ（Central Processing Unit）１２Ａ、ＲＯＭ（Read Only Memory）１２Ｂ、ＲＡＭ（Random Access Memory）１２Ｃ、不揮発性メモリ１２Ｄ、及び入出力インターフェース（Ｉ／Ｏ）１２Ｅを備える。そして、ＣＰＵ１２Ａ、ＲＯＭ１２Ｂ、ＲＡＭ１２Ｃ、不揮発性メモリ１２Ｄ、及びＩ／Ｏ１２Ｅがバス１２Ｆを介して各々接続されている。
【００２４】
また、Ｉ／Ｏ１２Ｅには、操作部１４、表示部１６、通信部１８、及び記憶部２０が接続されている。なお、ＣＰＵ１２Ａは、生成部及び変更部の一例である。
【００２５】
操作部１４は、生成装置１０のユーザーから指示を受け付ける、例えばマウス、キーボード、及びタッチパネル等の入力デバイスを含んで構成される。
【００２６】
表示部１６は、例えば液晶ディスプレイ及び有機ＥＬ（Electro Luminescence）ディスプレイ等の表示デバイスを含んで構成される。
【００２７】
通信部１８は、例えばインターネット及びＬＡＮ(Local Area Network)といった通信回線に接続され、通信回線に接続されたパーソナルコンピュータ等の外部装置とデータ通信を行うためのインターフェースを有する。
【００２８】
記憶部２０は、ハードディスク等の不揮発性の記憶装置で構成され、後述する三次元造形用経路データの生成プログラム、三次元形状データ等を記憶する。ＣＰＵ１２Ａは、記憶部２０に記憶された三次元造形用経路データの生成プログラムを読み込んで実行する。
【００２９】
図２は、三次元形状データによって表される三次元形状３２の一例を示す図である。図２に示すように、生成装置１０は、直交するＸ軸、Ｙ軸、及びＺ軸によって表される三次元座標空間を用いて三次元形状３２を表す。
【００３０】
本実施形態では、三次元形状データのデータフォーマットとして、三次元形状３２をボクセル３４の集合によって表現するデータフォーマットを用いた場合について説明するが、他のデータフォーマットを用いてもよい。
【００３１】
ここで、ボクセル３４とは、三次元形状３２の基本要素であり、例えば直方体が用いられるが、直方体に限らず、球又は円柱等を用いてもよい。ボクセル３４を積み上げることで所望の三次元形状３２が表現される。また、各ボクセル３４には、例えば色、強度、材質、質感等のボクセル３４の性質を表す属性が指定されており、ボクセル３４の有無及びボクセル３４の属性によって、三次元形状３２の色や材質等が表現される。以下、ボクセル３４の属性として指定された色を色情報と称する。
【００３２】
ここで、「材質」とは、樹脂、金属、ゴム等の材料のジャンルを表す情報、ＡＢＳ、ＰＬＡ等の材料名を表す情報、市販されている材料の商品名、商品番号等を表す情報、ＩＳＯ、ＪＩＳ等の規格で定められている材料名、略称、番号等の材料を表す情報、熱伝導率、導電率、磁性等の材料特性を表す情報の少なくとも１つの情報を含む。
【００３３】
また、「質感」とは、三次元形状データの反射率、透過率、光沢、表面性状等の他、色だけではなく見た目又は触り心地を表す属性も含む。
【００３４】
なお、属性には、周期、数式、及び他の三次元形状データの少なくとも１つの情報を用いて設定される属性パターンを含む。属性パターンとは、一定周期の繰り返し、グラデーション、数式で表される傾斜や極点による表現、他の三次元形状データ等に従って三次元形状データの色、材質、質感等を連続的に変更すること、三次元形状データの指示された範囲を指示された形状で充填すること又は連続的に変更すること、の少なくとも１つを含む。
【００３５】
上述したように、三次元形状３２はボクセル３４の集合によって表されるが、具体的には、例えば三次元座標空間におけるＸ、Ｙ、Ｚの座標の要素値ｎによって表される。ここで、ｎは０以上の整数である。三次元座標空間における座標を（Ｘ、Ｙ、Ｚ）で表せば、座標（Ｘ、Ｙ、Ｚ）にボクセル３４が存在する場合は、ｎを１以上の整数とする。一方、座標（Ｘ、Ｙ、Ｚ）にボクセル３４が存在しない場合は、ｎを０とする。これにより、三次元形状３２が表される。
【００３６】
なお、ｎが１以上の場合、ｎはボクセルの属性を表す。例えばｎ＝２の場合は、そのボクセルの材料がＡ、色が赤であることを表し、ｎ＝３であれば材料がＢ、色が緑であることを表す等である。すなわちｎの値とボクセルの属性とは１対１に対応する。
【００３７】
また、三次元形状３２の形状に制約はなく、三次元形状データを用いて表現される形状であれば、どのような形状であってもよい。
【００３８】
なお、本実施形態では、三次元形状データをスライスしたスライス面の二次元データに基づいて設定された、三次元形状の外面を画定する輪郭線に従って造形材料を連続して吐出すると共に、輪郭線の内部に造形材料を連続して吐出することにより三次元形状を造形する三次元造形法を用いて三次元形状を造形する際に、造形材料を吐出する経路を定めた三次元造形用経路データを生成する場合について説明する。三次元造形用経路データは、例えば造形材料の吐出経路及び造形材料の太さを含むデータである。
【００３９】
上記のような三次元造形法、すなわち一筆書きのように造形材料を連続して吐出することにより三次元形状を造形する三次元造形法としては、例えば熱可塑性樹脂を溶かし積層させることで三次元形状を造形する熱溶解積層法（FDM:Fused Deposition Modeling）等があるが、これに限られるものではない。
【００４０】
次に、図３を参照して、本実施の形態に係る生成装置１０の作用を説明する。ＣＰＵ１２Ａが三次元造形用経路データの生成プログラムを読み込んで実行することにより、図３に示す生成処理が実行される。なお、図３に示す生成処理は、例えば、ユーザーの操作により生成プログラムの実行が指示された場合に実行される。
【００４１】
なお、本実施形態では、説明を簡単にするために、図４に示すような直方体の三次元形状４０の三次元造形用経路データを生成する場合について説明する。
【００４２】
ステップＳ１００では、記憶部２０から三次元形状データを読み込む。
【００４３】
ステップＳ１０２では、三次元形状データに基づいてスライスデータ（二次元データ）を生成する。具体的には、図５に示すように、三次元形状４０が接地される接地面（ＸＹ平面）と平行な面をスライス面Ｓとして設定し、三次元形状４０をＺ軸方向に予め定めた間隔ｄでスライスすることによりスライスデータを生成する。生成されたスライスデータは、スライス面Ｓにおける三次元形状４０の輪郭線を表すデータである。
【００４４】
ステップＳ１０４では、ステップＳ１０２で生成したスライスデータをボクセルデータに変換することでボクセルデータを生成する。ボクセルデータは、三次元形状４０を例えば直方体等の予め定めた形状のボクセルで表したデータである。従って、ステップＳ１０４では、ステップＳ１０２で生成したスライスデータで表される輪郭線で囲まれた領域を複数のボクセルに分割する。
【００４５】
ステップＳ１０６では、ステップＳ１０４で生成されたスライスデータに基づいて、造形材料の吐出経路を表す経路データを生成する。
【００４６】
本実施形態では、一筆書きのように造形材料を連続して吐出することにより三次元形状を造形する三次元造形法を用いるので、スライスデータに基づいて造形材料が吐出される吐出領域の輪郭線を求め、求めた輪郭線及び輪郭線の内部に造形材料を連続して吐出する経路を求める。
【００４７】
図５に示す三次元形状４０の場合、スライス面Ｓでスライスした場合のＸＹ平面における形状は矩形状となる。この場合、図６に示すように、三次元形状４０の輪郭線に従って造形材料５０が連続して吐出される経路５２Ａ、及び、輪郭線の内部に造形材料５０が折り返されながら連続して吐出される経路５２Ｂを含む経路５２を表す経路データが生成される。
【００４８】
ところで、図６に示すように、経路５２Ａに沿って吐出された造形材料５０と、経路５２Ｂに沿って吐出された造形材料５０との間には、造形材料が存在しない隙間５４が発生する。
【００４９】
三次元形状４０のような直方体の場合、各スライス面における二次元形状は全て同じ矩形状となる。この場合、各層の隙間５４が同じ位置に発生するため、複数の層の隙間５４が造形材料の積層方向、すなわちＺ軸方向に重なることにより、三次元形状４０に複数の微少な穴が形成されてしまうこととなる。
【００５０】
そこで、ステップＳ１０８では、造形材料の積層方向に輪郭線が重なる層が存在するか否かを判定し、存在する場合はステップＳ１１０へ移行し、存在しない場合はステップＳ１１２へ移行する。
【００５１】
ステップＳ１１０では、輪郭線が重なる層のうち少なくとも１層の輪郭線の本数及び太さの少なくとも一方を変更する。
【００５２】
例えば、Ｚ方向において最上層の輪郭線を２本に増加させ、その他の層の輪郭線は１本のままとする。この場合、図７に示すように、２本に増加された輪郭線に従って造形材料５０が連続して吐出される経路５６Ａ、及び、輪郭線の内部に造形材料５０が折り返されながら連続して吐出される経路５６Ｂを含む経路５６を表す経路データが生成される。また、最上層以外の層については、図６に示す経路５２を表す経路データが生成される。
【００５３】
これにより、図７に示すように、経路５６Ａに沿って吐出された造形材料５０と、経路５６Ｂに沿って吐出された造形材料５０との間に発生する隙間５８のＸＹ平面における位置は、図６に示す隙間５４のＸＹ平面における位置と重ならない。このため、三次元形状４０に複数の微少な穴が形成されるのが抑制される。
【００５４】
なお、最上層だけでなく、最下層の輪郭線の本数を最上層と同様に増加させてもよい。また、例えば最上層の輪郭線の太さを他の層と比べて太くしてもよい。これにより、最上層に発生する隙間のＸＹ平面の位置と最上層以外の層に発生する隙間のＸＹ平面における位置が異なることとなり、三次元形状４０に複数の微少な穴が形成されるのが抑制される。なお、この場合も、最上層だけでなく、最下層の輪郭線の太さを最上層と同様に太くしてもよい。
【００５５】
ステップＳ１１２では、上記の処理を行うことにより生成された三次元造形用経路データを記憶部２０に記憶する。
【００５６】
このように、本実施形態では、造形材料の積層方向に輪郭線が重なる層が存在する場合には、輪郭線が重なる層のうち少なくとも１層の輪郭線の本数及び太さの少なくとも一方を変更する。これにより、造形材料の積層方向に隙間が重なり、微少な穴が形成されるのが抑制される。
【００５７】
次に、三次元造形用経路データの生成装置１０により生成された三次元造形用経路データを用いて三次元形状を造形する三次元造形装置について説明する。
【００５８】
図８には、本実施の形態に係る三次元造形装置１００の構成を示した。図１２に示すように、三次元造形装置１００は、吐出ヘッド１０２、吐出ヘッド駆動部１０４、造形台１０６、造形台駆動部１０８、取得部１１０、及び制御部１１２を備える。
【００５９】
吐出部の一例としての吐出ヘッド１０２は、三次元形状４０を造形するための造形材料を吐出する。吐出ヘッド１０２は、吐出ヘッド駆動部１０４によって駆動され、ＸＹ平面上を二次元に走査される。
【００６０】
造形台１０６は、造形台駆動部１０８によって駆動され、Ｚ軸方向に昇降される。
【００６１】
取得部１１０は、三次元造形用経路データの生成装置１０が生成した三次元造形用経路データを取得する。
【００６２】
制御部１１２は、取得部１１０が取得した三次元造形用経路データに従って造形材料が吐出されるように、吐出ヘッド駆動部１０４を駆動して吐出ヘッド１０２を二次元に走査させると共に、吐出ヘッド１０２による造形材料の吐出を制御する。
【００６３】
また、制御部１１２は、各層の造形が終了する毎に、造形台駆動部１０８を駆動して造形台１０６を予め定めた間隔ｄ分降下させる。
【００６４】
ここで、三次元造形用経路データの生成装置１０が生成した三次元造形用経路データは、輪郭線が重なる層のうち少なくとも１層の輪郭線の本数及び太さの少なくとも一方が変更された三次元造形用経路データである。このため、輪郭線に沿って吐出された造形材料と、輪郭線の内部に折り返されながら吐出された造形材料と、の間に発生する隙間が積層方向に重なるのが抑制され、微少な穴が形成されるのが抑制される。
【００６５】
なお、取得部１１０が、輪郭線が重なる層のうち少なくとも１層の輪郭線の本数及び太さの少なくとも一方が変更されていない三次元造形用経路データを取得してもよい。すなわち、図３のステップＳ１０６で生成された三次元造形用経路データを取得してもよい。
【００６６】
この場合、制御部１１２は、輪郭線の内部に造形材料が連続して吐出される際に、吐出経路の折り返し部分で吐出される造形材料の量が、折り返し部分以外の部分で吐出される造形材料よりも多くなるように、吐出ヘッド１０２による造形材料の吐出量を制御するようにしてもよい（第１の制御）。なお、吐出量の制御は、例えば吐出圧を変えることにより行ってもよいし、造形材料の温度を上げて粘度を下げることにより行ってもよい。これにより、吐出経路の折り返し部分で吐出される造形材料の量と折り返し部分以外の部分で吐出される造形材料の量とを同じにした場合と比較して、輪郭線に沿って吐出された造形材料と輪郭線の内部に折り返されながら吐出された造形材料との間に発生する隙間が小さくなり、微少な穴が形成されるのが抑制される。また、上記の第１の制御を、輪郭線が重なる層のうち積層方向における両端の層に適用すると、表面に発生する隙間が小さくなる。
【００６７】
また、制御部１１２は、輪郭線の内部に造形材料が連続して吐出される際に、吐出経路の折り返し部分で吐出される造形材料の量が、折り返し部分以外の部分で吐出される造形材料よりも多くなるように、吐出ヘッド１０２の移動速度を遅くするよう制御してもよい（第２の制御）。これにより、吐出経路の折り返し部分と折り返し部分以外の部分とで吐出ヘッドの移動速度を同じにした場合と比較して、輪郭線に沿って吐出された造形材料と輪郭線の内部に折り返されながら吐出された造形材料との間に発生する隙間が小さくなり、微少な穴が形成されるのが抑制される。また、上記の吐出ヘッド１０２の移動速度を遅くする制御を、輪郭線が重なる層のうち積層方向における両端の層に適用すると、表面に発生する隙間を小さくなる。
【００６８】
また、輪郭線が重なる層のうち少なくとも１層の輪郭線の本数及び太さの少なくとも一方が変更された三次元造形用経路データを取得して、上記の第１の制御又は第２の制御を実行するようにしてもよい。これにより、輪郭線に沿って吐出された造形材料と輪郭線の内部に折り返されながら吐出された造形材料との間に発生する隙間が更に小さくなり、微少な穴が形成されるのが更に抑制される。
【００６９】
以上、各実施形態を用いて本発明について説明したが、本発明は各実施形態に記載の範囲には限定されない。本発明の要旨を逸脱しない範囲で各実施形態に多様な変更または改良を加えることができ、当該変更または改良を加えた形態も本発明の技術的範囲に含まれる。
【００７０】
例えば、図３に示した三次元造形用経路データの生成処理をＡＳＩＣ（Application Specific Integrated Circuit）等のハードウエアで実現するようにしてもよい。この場合、ソフトウエアで実現する場合に比べて、処理の高速化が図られる。
【００７１】
また、各実施形態では、三次元造形用経路データの生成プログラムがＲＯＭ１２Ｂにインストールされている形態を説明したが、これに限定されるものではない。本実施形態に係る三次元造形用経路データの生成プログラムを、コンピュータ読取可能な記憶媒体に記録した形態で提供してもよい。例えば、本発明に係る三次元造形用経路データの生成プログラムを、ＣＤ(Compact Disc)−ＲＯＭ及びＤＶＤ(Digital Versatile Disc)−ＲＯＭ等の光ディスクに記録した形態、若しくはＵＳＢ(Universal Serial Bus)メモリ及びメモリカード等の半導体メモリに記録した形態で提供してもよい。また、本実施形態に係る三次元造形用経路データの生成プログラムを、通信部１８に接続された通信回線を介して外部装置から取得するようにしてもよい。
【符号の説明】
【００７２】
１０   三次元造形用経路データの生成装置
１２   コントローラ
１４   操作部
１６   表示部
１８   通信部
２０   記憶部
３２   三次元形状
３４   ボクセル
４０   三次元形状
５０   造形材料
５２、５６    経路
５４、５８    隙間
１００ 三次元造形装置
１０２ 吐出ヘッド
１０４ 吐出ヘッド駆動部
１０６ 造形台
１０８ 造形台駆動部
１１０ 取得部
１１２ 制御部
【図１】
2018176597.tif 000003
【図２】
2018176597.tif 000004
【図３】
2018176597.tif 000005
【図４】
2018176597.tif 000006
【図５】
2018176597.tif 000007
【図６】
2018176597.tif 000008
【図７】
2018176597.tif 000009
【図８】
2018176597.tif 000010